(57)【特許請求の範囲】
【請求項１】
カムピンが設けられている第１のコネクタと、
回動支持軸と被係止部とを備え、前記第１のコネクタに着脱自在に設置される第２のコネクタと、
カム溝と回動支軸係合孔と操作部と前記被係止部に係合する係止部とを備え、前記カム溝に前記カムピンが挿入されることで前記第１のコネクタと係合し、前記回動支軸係合孔に前記回動支持軸が挿入されることで前記第２のコネクタに対して回動するように前記第２のコネクタに係合し、前記第２のコネクタに対して回動することで、前記第１のコネクタと前記第２のコネクタとの間に嵌合力と離脱力とを作用させるレバーと、
を有し、前記第２のコネクタを前記第１のコネクタから離すために前記係止部を前記被係止部から離すべく指もしくは器具を用いて前記係止部を弾性変形させたときに、前記レバーを動かすための前記操作部に前記指もしくは前記器具が当接し、前記離脱力を発生させるべく前記レバーを回動することができるように構成されており、
前記係止部は、ロックアームと係止片と押圧部とを備えて構成されており、前記押圧部を押圧することで、前記ロックアームのみが前記弾性変形をして、前記係止片が前記被係止部から離れるように構成されていることを特徴とするコネクタ係合体。
【請求項２】
請求項１に記載のコネクタ係合体において、
前記指もしくは前記器具を前記係止部に当接させ前記係止部に力を加えて前記弾性変形をさせたそのままの状態で、前記指もしくは前記器具で、前記離脱力を発生させるための力を前記操作部に加えることができるように構成されているか、
もしくは、前記指もしくは前記器具を前記係止部に当接させ前記係止部に力を加えて前記弾性変形をさせた状態から前記指もしくは前記器具を僅かにずらすことで、前記指もしくは前記器具で、前記離脱力を発生させるための力を前記操作部に加えることができるように構成されていることを特徴とするコネクタ係合体。
【請求項３】
請求項１または請求項２に記載のコネクタ係合体において、
前記ロックアームが前記弾性変形をしたときに、前記押圧部の押圧面と前記操作部の押圧面とが「ハ」字状の形態になるように構成されていることを特徴とするコネクタ係合体。
【請求項４】
請求項３に記載のコネクタ係合体において、
前記押圧部の押圧面は、平面状に形成されており、前記操作部の押圧面は、凹凸状に形成されていることを特徴とするコネクタ係合体。
【発明の詳細な説明】
【技術分野】
【０００１】
本発明は、第１のコネクタと第２のコネクタとを備えたコネクタ係合体に係り、たとえば、第１のコネクタに設置されている第２のコネクタを、レバーを用いて取り外すように構成されているものに関する。
【背景技術】
【０００２】
従来、図８に示すように、レバー２００の回動操作によって、雌コネクタ２０２に嵌合している雄コネクタ２０４を雌コネクタ２０２から離脱させる（取り外す）構造のレバー嵌合式コネクタ（コネクタ係合体）２０６が知られている（たとえば、特許文献１参照）。
【０００３】
上記従来のレバー嵌合式コネクタ２０６では、レバー２００に設けられているロックアーム２０８のレバー部（操作部）２１０を押圧してロックアーム２０８を弾性変形させてロックの解除を行い（ロック孔２１２からロック突起２１４を抜き出し）、操作部２１０を押圧したままレバー２００の回動操作を行い、雄コネクタ２０４を雌コネクタ２０２から取り外している。
【先行技術文献】
【特許文献】
【０００４】
【特許文献１】特開平１１−３０７１７２号公報
【発明の概要】
【発明が解決しようとする課題】
【０００５】
しかし、上記従来のコネクタ係合体２０６では、操作部２１０を押圧したままレバー２００を回動するので、雄コネクタ２０４を雌コネクタ２０２から取り外す際、操作部２１０を押圧する方向の力（矢印Ａ７１参照）とレバー２００を回動する方向との力（矢印Ａ７２参照）とが必要になる。
【０００６】
また、ロックアーム２０８先端の操作部２１０のみに上記２つの方向の力を加えて、操作部２１０の押圧とレバー２００の回動とをするようになっている。
【０００７】
したがって、レバー２００のロックアーム２０８に大きな力（ロックアーム２０８を弾性変形させる力＋レバー２００を回動する力）が加わってロックアーム２０８が破損するおそれがあるという問題がある。
【０００８】
また、ロックアーム２０８を弾性変形させたままでレバー２００を回動させるので、ロックアーム２０８の反発力でレバー２００がスムーズに回動しないおそれがあるという問題がある。
【０００９】
本発明は、上記問題点に鑑みてなされたものであり、第１のコネクタと、この第１のコネクタに係合する第２のコネクタと、この第２のコネクタを第１のコネクタから取り外すためのレバーとを備えたコネクタ係合体において、第２のコネクタを第１のコネクタから取り外すときに、レバーが破損することを防止し、レバーをスムーズに回動させることができるコネクタ係合体を提供することを目的とする。
【課題を解決するための手段】
【００１０】
請求項１に記載の発明は、カムピンが設けられている第１のコネクタと、回動支持軸と被係止部とを備え、前記第１のコネクタに着脱自在に設置される第２のコネクタと、カム溝と回動支軸係合孔と操作部と前記被係止部に係合する係止部とを備え、前記カム溝に前記カムピンが挿入されることで前記第１のコネクタと係合し、前記回動支軸係合孔に前記回動支持軸が挿入されることで前記第２のコネクタに対して回動するように前記第２のコネクタに係合し、前記第２のコネクタに対して回動することで、前記第１のコネクタと前記第２のコネクタとの間に嵌合力と離脱力とを作用させるレバーとを有し、前記第２のコネクタを前記第１のコネクタから離すために前記係止部を前記被係止部から離すべく指もしくは器具を用いて前記係止部を弾性変形させたときに、前記レバーを動かすための前記操作部に前記指もしくは前記器具が当接し、前記離脱力を発生させるべく前記レバーを回動することができるように構成されており、前記係止部は、ロックアームと係止片と押圧部とを備えて構成されており、前記押圧部を押圧することで、前記ロックアームのみが前記弾性変形をして、前記係止片が前記被係止部から離れるように構成されているコネクタ係合体である。
【００１１】
請求項２に記載の発明は、請求項１に記載のコネクタ係合体において、前記指もしくは前記器具を前記係止部に当接させ前記係止部に力を加えて前記弾性変形をさせたそのままの状態で、前記指もしくは前記器具で、前記離脱力を発生させるための力を前記操作部に加えることができるように構成されているか、もしくは、前記指もしくは前記器具を前記係止部に当接させ前記係止部に力を加えて前記弾性変形をさせた状態から前記指もしくは前記器具を僅かにずらすことで、前記指もしくは前記器具で、前記離脱力を発生させるための力を前記操作部に加えることができるように構成されているコネクタ係合体である。
【００１２】
請求項３に記載の発明は、請求項１または請求項２に記載のコネクタ係合体において、前記ロックアームが前記弾性変形をしたときに、前記押圧部の押圧面と前記操作部の押圧面とが「ハ」字状の形態になるように構成されているコネクタ係合体である。
【００１３】
請求項４に記載の発明は、請求項３に記載のコネクタ係合体において、前記押圧部の押圧面は、平面状に形成されており、前記操作部の押圧面は、凹凸状に形成されているコネクタ係合体である。
【発明の効果】
【００１４】
本発明によれば、第１のコネクタと、この第１のコネクタに係合する第２のコネクタと、この第２のコネクタを第１のコネクタから取り外すためのレバーとを備えたコネクタ係合体において、第２のコネクタを第１のコネクタから取り外すときに、レバーが破損することを防止し、レバーをスムーズに回動させることができるという効果を奏する。
【図面の簡単な説明】
【００１５】
【図１】本発明の実施形態に係るコネクタ係合体を示す斜視図であって、レバーが第１の操作位置（第２のコネクタを第１のコネクタから離した位置）に位置している状態を示す図である。
【図２】本発明の実施形態に係るコネクタ係合体を示す平面図であって、レバーが第２の操作位置（第２のコネクタを第１のコネクタに設置した位置）に位置している状態を示す図である。
【図３】本発明の実施形態に係るコネクタ係合体の断面図であり、図２におけるＩＩＩ―ＩＩＩ断面を示す図である。
【図４】本発明の実施形態に係るコネクタ係合体を示す平面図であって、レバーが第１の操作位置に位置している状態を示す図である。
【図５】本発明の実施形態に係るコネクタ係合体の断面図であり、図４におけるＶ―Ｖ断面を示す図である。
【図６】図３におけるＶＩ部の拡大図である。
【図７】レバーに設けられている操作部を示す斜視図である。
【図８】従来のコネクタ係合体を示す図である。
【発明を実施するための形態】
【００１６】
本発明の実施形態に係るコネクタ係合体（一対のコネクタの嵌合体；たとえば電源回路遮断装置）１は、第１のコネクタ（たとえば、サービスプラグ設置体）３と第２のコネクタ（たとえば、サービスプラグ）５とレバー７とを備えて構成されている。
【００１７】
第１のコネクタ３は、図３等で示すように、たとえば、端子４を備え、図示しないボルト等の締結具によってベース体（自動車の車体等）９に一体的に設置されるようになっている。
【００１８】
第２のコネクタ５は、被係止部１１と端子（第１のコネクタ３の端子４に接続される端子）６とを備え、第１のコネクタ３に着脱自在にしかも一体的に設置されるようになっている。
【００１９】
レバー７は、操作部（たとえば回動操作部）１３と第２のコネクタ５の被係止部１１に係合する係止部１５とを備えている。
【００２０】
また、レバー７は、第１のコネクタ３と第２のコネクタ５とに係合し、第１のコネクタ３と第２のコネクタ５とに対して相対的に動く（移動、回動の少なくともいずれかをする）ことで、第１のコネクタ３と第２のコネクタ５との間に嵌合力と離脱力とを作用させるようになっている。なお、この実施形態に係るコネクタ係合体１では、レバー７が、第２のコネクタ５に対して回動するようになっている。
【００２１】
詳しくは後述するが、レバー７は、第２のコネクタ５に回動自在に係合していることに加えて、第２のコネクタ５を第１のコネクタ３に設置するとき、設置し終えたとき（図２、図３参照）、設置されている状態から取り外すとき（離脱させるとき）に、第１のコネクタ３にも係合するようになっている。そして、第１のコネクタ３に対して相対的に移動し、第２のコネクタ５に対して相対的に回動することで、第１のコネクタ３と第２のコネクタ５との間に嵌合力と離脱力とを作用させるようになっている（第２のコネクタ５を第１のコネクタ３に対して着脱するための上下方向の力を発生させるようになっている）。
【００２２】
また、コネクタ係合体１では、レバー７の係止部１５が第２のコネクタ５の被係止部１１に係合している状態で、第２のコネクタ５が第１のコネクタ３に一体的に設置されている（図２、図３参照）。図２や図３に示す状態から、指（器具であってもよい）を用いて係止部１５を押圧して弾性変形させ係止部１５を被係止部１１から離し、レバー７を回動して第２のコネクタ５を第１のコネクタ３から離すようになっている。このときに、レバー７を回動するための操作部１３に指（器具であってもよい）が当接し、これにより押圧力を操作部１３に加えて、前述した離脱力を発生させるべくレバー７を、図３に矢印Ａ１で示すように回動することができるように構成されている。
【００２３】
係止部１５は、レバー７を構成する「Ｕ」字状のレバー本体２３から突出している。また、係止部１５は、図３で示すように、弾性変形するロックアーム１７とロックアーム１７の先端に設けられている係止片１９と押圧部２１とを備えて構成されている。図２や図３に示す状態では、係止片１９が第２のコネクタ５の被係止部１１に係合して、レバー７が第２のコネクタ５に固定されている。図２や図３に示す状態において、押圧部２１が押されることによってロックアーム１７が弾性変形し、係止片１９が被係止部１１から離れ、係止部１５が被係止部１１から離れるようになっている（図３や図６の二点鎖線参照）。
【００２４】
なお、レバー７に設けられている係止部１５の押圧部２１と、第２のコネクタの被係止部１１とに当接して押圧力を付与する指は、たとえば人差し指である。さらには、人差し指の第１関節と指先との間の部位（指の末節）の腹側が、係止部１５（押圧部２１）と操作部１３とに当接する。
【００２５】
また、コネクタ係合体１では、指（上述したように器具でもよい）を係止部１５（押圧部２１）に当接させて係止部１５に力（たとえば押圧力）を加えロックアーム１７を弾性変形させた状態（図６に二点鎖線で示す状態）から、指を僅かにずらすことで（係止部１５を弾性変形させたまま指を係止部１５に対して僅かに滑らすことで）、上述した離脱力を発生させるための力（たとえば押圧力）を操作部１３に加えることができるように構成されている。
【００２６】
なお、指等を滑らせることなく、操作部１３に押圧力を加えることができる構成であってもよい。すなわち、指（上述したように器具でもよい）を係止部１５に当接させて係止部１５に力を加え弾性変形をさせたそのままの状態で（指等を係止部１５に対して滑らすことをしないで）、前述した離脱力を発生させるための力を指で操作部１３に加えることができるように構成されていてもよい。
【００２７】
また、コネクタ係合体１では、係止部１５（ロックアーム１７）を弾性変形させるために加える力の方向（図６に矢印Ａ３で示す方向）と、レバー７（レバー本体２３）を動かすために操作部１３（レバー７）に加える力の方向（図６に矢印Ａ５で示す方向）との交差角度が、６０°以内（好ましくは４５°、より好ましくは３０°、さらに好ましくは１５°、さらに一層好ましくは０°、つまり同方向）になっている。
【００２８】
さらに、コネクタ係合体１では、係止部１５が、前述したように、ロックアーム１７と係止片１９と押圧部２１とを備えており、押圧部２１が押圧されることで、ロックアーム１７が弾性変形して、係止片１９が第２のコネクタ５の被係止部１１から離れるように構成されている（図３や図６の二点鎖線参照）。
【００２９】
また、コネクタ係合体１では、ロックアーム１７が弾性変形をしたときに、押圧部２１の押圧面２５と操作部１３の押圧面２７とが「ハ」字状（「Ｖ」字状になっていてもよい。）の形態になるように構成されている（図３、図６参照）。
【００３０】
「ハ」字状の形態とは、一平面に「ハ」の文字を描き、この「ハ」の文字を上記一平面に直交する方向に所定の距離だけ移動したときに、上記「ハ」の文字の軌跡で表される形態である。「ハ」の文字の一方のつくりの軌跡であらわされる面が、押圧部２１の押圧面２５になり、「ハ」の文字の他方のつくりの軌跡であらわされる面が、操作部１３の押圧面２７になる。「Ｖ」字状の形態も同様である。
【００３１】
また、押圧部２１の押圧面２５は、平面状に形成されており、操作部１３の押圧面２７は、凹凸状（たとえば階段状）に形成されている（図６、図７等参照）。
【００３２】
ここで、コネクタ係合体１についてさらに詳しく説明する。
【００３３】
なお、説明の便宜のために、第１のコネクタ３に対して第２のコネクタ５が着脱されるときの第２のコネクタ５の移動方向を上下方向とする。さらに、上下方向のうちの一の方向（第２のコネクタ５側）を上方向とし、上下方向のうちの他の方向（第１のコネクタ３側、ベース体９側）を下方向とする。第２のコネクタ５が第１のコネクタ３に対して下方向に移動して第１のコネクタ３に接続され（嵌合され）、第２のコネクタ５が第１のコネクタ３に対して上方向に移動して第１のコネクタ３から離れる（離脱する）ようになっている。また、上下方向に対して直交する一方向を縦方向とし、上下方向と縦方向とに直交する一方向を幅方向（横方向）とする。
【００３４】
第１のコネクタ３は、合成樹脂等の絶縁性の材料で構成されている第１のコネクタハウジング２９を備えている。第１のコネクタハウジング２９は、たとえば矩形な筒状に形成されている本体３１を備えており、この本体３１の内部下方には、たとえば端子（雌端子）４が設けられている。また、本体３１の内部上方には、コネクタ嵌合室３３が設けられている。さらに、本体３１には、図１で示すように、一対のカムピン３４が設けられている。
【００３５】
カムピン３４は、一対で設けられており、第１のコネクタ３の本体３１の外壁（横方向の両端に位置する一対の外壁から）から突出している。また、一対のカムピン３４は、上下方向では、本体３１の中間部であって、ベース体（第１のコネクタ３が設置されたベース体）９の上方に位置しており、縦方向では、筒状部３９の中間部に位置している。
【００３６】
第２のコネクタ５は、合成樹脂等の絶縁性の材料で構成されている第２のコネクタハウジング３５と、合成樹脂等の絶縁性の材料で構成されているカバー（感電防止カバー）３７とを備えている。第２のコネクタハウジング３５には、端子（雄端子）６が設けられている。そして、第２のコネクタ５を第１のコネクタ３に設置したときに、第２のコネクタハウジング３５が第１のコネクタ３のコネクタ嵌合室３３内に入り込み、端子４に第２のコネクタ５の端子６が接続されるようになっている（図３等参照）。
【００３７】
また、カバー３７は、合成樹脂等の絶縁性の材料で構成されており、筒状部３９と上板部４１とを備えた矩形な枡状に形成されている本体部４３と、被係止部１１と、回動支軸４５とを備えている（図１参照）。
【００３８】
そして、第２のコネクタ５を第１のコネクタ３に設置したときに、図３等で示すように、カバー３７が、第１のコネクタ３の上部を覆うようにして、第１のコネクタ３の上部に蓋をしている。そして、第２のコネクタ５が、コネクタ嵌合室３３内（第１のコネクタハウジング２９とカバー３７とで形成された空間内）に入り込んでいる。
【００３９】
また、第１のコネクタ３に第２のコネクタ５を設置した状態では、カバー３７の筒状部３９が、第１のコネクタハウジング２９の上端側の部位を囲っている。なお、カムピン３４は、図１で示すように、カバー３７よりも下方に位置している。
【００４０】
被係止部１１は、カバー３７に一体で設けられている被係止部構成体５１に設けられている。被係止部構成体５１は、図２等で示すように、一対の延出部５３と先端部５５とを備えて「コ」字状に形成されており、一対の延出部５３がカバー３７の幅方向で並ぶようにして、カバー３７の縦方向の一端部から延出しいる。先端部５５の長手方向の中間部には、被係止部１１が設けられている。被係止部１１は、カバー３７の縦方向の一端部から離れて、カバー３７の縦方向の一端部に対向している。なお、被係止部構成体５１は、ベース体（コネクタ係合体１が設置されたベース体）９の上方に位置している。
【００４１】
回動支軸４５は、一対で設けられており、カバー３７の外壁（横方向の両端に位置する一対の外壁から）から突出している。また、一対の回動支軸４５は、図１で示すように、上下方向と縦方向では、カバー３７の中間部に位置している。
【００４２】
レバー７は、合成樹脂等の絶縁性の材料で構成されており、一対のアーム部４７と連結部４９とを備えて「Ｕ」字状に形成された本体２３と、操作部１３と係止部１５とカム溝５７と係合孔（回動支軸係合孔）５９とを備えている。
【００４３】
カム溝５７は、アーム部４７の長手方向に延びて一対のアーム部４７それぞれに設けられている。カム溝５７の貫通方向は、レバー７の幅方向（コネクタ係合体１の幅方向）になっている。係合孔（貫通孔）５９は、アーム部４７の長手方向の中間部で一対のアーム部４７のそれぞれに設けられている。係合孔５９の貫通方向も、レバー７の幅方向になっている。また、係合孔５９は、アーム部４７の長手方向と連結部４９の長手方向とに直交する方向であるレバー７の厚さ方向で、係合孔５９から離れている。なお、レバー７が第２の操作位置ＰＳ２（図２、図３参照）に位置しているコネクタ係合体１では、係合孔５９は、カム溝５７よりも上方に位置している。
【００４４】
係止部１５（ロックアーム１７、係止片１９、押圧部２１）は、図３等で示すように、係止部構成体６１で構成されている。係止部構成体６１は、一対の長尺部６３（６３Ａ，６３Ｂ）と短尺部６５とを備えて「Ｕ」字状に形成されている。係止部構成体６１は、連結部４９に一体で設けられており、一対の長尺部６３がレバー７の厚さ方向であって係合孔５９からカム溝５７に向かう方向で、「Ｕ」字状のレバー７の連結部４９の長手方向の中間部から延出している。また、係止部構成体６１は、一対の長尺部６３のうちの一方の長尺部６３Ａの先端部が、レバー７の連結部４９に接続されており、他方の長尺部６３Ｂが、係止部構成体６１の短尺部６５を間にして、一方の長尺部６５Ａとは反対側に位置している。
【００４５】
さらに、他方の長尺部６３Ｂの長手方向の中間部に係止片１９が形成されており、他方の長尺部６３Ｂの長手方向の先端部側に、押圧部２１が形成されており、係止部構成体６１の他の部分が、ロックアーム１７を構成している。
【００４６】
操作部１３は、底面と上面とが直角三角形である三角柱状に形成されており、三角柱の高さ方向がレバー７の連結部４９の長手方向と一致するようにして、連結部４９の長手方向の中間部で連結部４９に一体で設けられている。
【００４７】
この場合、操作部１３の直角三角形状の底面（上面）でお互いが直交している２つの辺のうちの１つの辺に対応する側面が、連結部４９に接触している。また、お互いが直交している上記２つの辺のうちの他の１つの辺に対応する側面が、レバー７の厚さ方向で係止部１５が突出している側に位置しており、操作部１３の直角三角形状の底面（上面）の斜辺の対応する側面が、係止部構成体６１が延出している側（係止部１５が突出している側）を向いている。なお、図２や図３に示す状態では、操作部１３は、係止部構成体６１よりも上方に位置している。
【００４８】
カバー３７にレバー７を設置した状態では、係合孔５９に回動支軸４５が入り込み、レバー７が、回動支軸４５を中心にして回動するようになっている。なお、レバー７の回動角度は、図３と図５等で示すように、約９０°の範囲になっている。
【００４９】
さらに、レバー７が設置された第２のコネクタ５（カバー３７）が、第１のコネクタ３に設置された状態では、カム溝５７に第１のコネクタ３カムピン３４が挿入されている。
【００５０】
カム溝５７は、図１に示すように、カム溝５７内へのカムピン３４の進入が可能な進入ストレート部６７と、この進入ストレート部６７に連通し、係合孔５９の中心からの距離が徐々に変化する曲線部６９と、曲線部６９に連通し、係合孔５９の中心からの距離が一定である円弧部７１とを有する。
【００５１】
そして、レバー７は、カム溝５７内をカムピン３４が相対的に移動しつつ第１操作位置（第２のコネクタ５を第１のコネクタ３から離したときの位置；図１、図４、図５で示す位置）ＰＳ１とコネクタ嵌合操作位置を経た第２操作位置（第２のコネクタ５を第１のコネクタ３に設置したときの位置；図２、図３で示す位置）ＰＳ２との間を回動するようになっている。第１操作位置ＰＳ１では、進入ストレート部６７にカムピン３４が位置するようになっている。
【００５２】
コネクタ嵌合操作位置では、曲線部６９と円弧部７１の境界位置にカムピン３４が位置するようになっている。第２操作位置ＰＳ２では、円弧部７１の最奥位置にカムピン３４が位置するようになっている。
【００５３】
つまり、レバー７が第１操作位置ＰＳ１とコネクタ嵌合操作位置（位置ＰＳ１と位置ＰＳ２との間に位置しているコネクタ嵌合操作位置）との間で回動するときには、カムピン３４が曲線部６９を移動し、第１のコネクタ３と第２のコネクタ５との間に嵌合力又は離脱力が作用し、第２のコネクタ５が第１のコネクタ３に対して上下方向（嵌合方向もしくは離脱方向）に移動する。
【００５４】
レバー７がコネクタ嵌合操作位置と第２操作位置ＰＳ２の間で回動するときには、カムピン３４が円弧部７１を移動し、第２のコネクタ５と第１のコネクタ３との間に嵌合力又は離脱力が作用せず、第１のコネクタ３に対して第２のコネクタ５が移動することはない。
【００５５】
ところで、レバー７の係止部１５の押圧部２１は、平板状に形成されており、押圧部２１の幅方向の両端部には、押圧部２１の平面から突出している一対のリブ７５が設けられている。
【００５６】
また、レバー７の操作部１３は上述したように階段状に形成されている。階段の各ステップの長手方向は、レバー７の幅方向になっている。操作部１３の幅方向の両端部には、操作部１３よりも突出している一対のリブ７５が設けられている。なお、一対のリブ７５の斜面（先端面）は、階段状の操作部１３の最突出部位と同じところに位置している。
【００５７】
ここで、第１のコネクタ３への第２のコネクタ５の着脱について説明する。まず、第１のコネクタ３に第２のコネクタ５が設置されている状態から、第２のコネクタ５を取り外す場合について説明する。
【００５８】
第１のコネクタ３に第２のコネクタ５が設置されている状態では、図３等で示すように、第１のコネクタ３のコネクタ嵌合室３３内に第２のコネクタ５の第２のコネクタハウジング３５が入り込んでおり、端子４と第２のコネクタ５の端子６とがお互いに接続されている。また、カバー３７がコネクタ嵌合室３３を覆っている。さらに、レバー７が第２の操作位置ＰＳ２に位置しており、レバー７の係止部１５（係止片１９）がカバー３７の被係止部１１に係止されて、レバー７がカバー３７に対して回動しないように固定されている。
【００５９】
また、第１のコネクタ３のカムピン３４が、レバー７に設けられているカム溝５７の円弧部７１の最奥位置に位置している。これにより、第１のコネクタ３と第２のコネクタ５とが一体化されている。
【００６０】
図３に示す状態で、レバー７の押圧部２１を指で押圧すると、ロックアーム１７が、図３や図６に二点鎖線で示すように弾性変形する。そして、係止片１９が、カバー３７の被係止部１１から離れる。このときに、レバー７の操作部１３の押圧面２７と、レバー７の押圧部２１の押圧面２５とが、上述したように、「ハ」字状になる。
【００６１】
続いて、図３に示す参照符号ＰＳ２のところに位置しているレバー７を、参照符号ＰＳ１で示す位置に向けて回動する（図３で矢印Ａ１で示すように反時計回りに回動する）。この回動をするときには、指がレバー７の操作部１３に接触して、操作部１３を押す。
【００６２】
レバー７を図３で反時計回りに回動させると、カムピン３４がカム溝５７の円弧部７１を通って、円弧部７１と曲線部６９との境界まで移動する。このときには、第２のコネクタ５は、第１のコネクタ３に対して移動しない。また、ロックアーム１７が復元していてもよいし弾性変形したままであってもよい。
【００６３】
レバー７をさらに回動をさせると、レバー７がコネクタ嵌合操作位置を超えて、カムピン３４がカム溝５７の曲線部６９に入り、レバー７を参照符号ＰＳ１で示す位置に近づけるに従い、第１のコネクタ３に対して第２のコネクタ５が上方に移動する。そして、レバー７が参照符号ＰＳ１で示す第１操作位置まで回動すると、第２のコネクタ５が第１のコネクタ３から離れ、レバー７のカム溝５７を第１のコネクタ３のカムピン３４をから取り外すことで、第１のコネクタ３からの第２のコネクタ５の取り外しが完了する。
【００６４】
レバー７が設置された第２のコネクタ５を第１のコネクタ３から取り外すときには、上述した操作と逆の操作を行えばよい。ただし、ロックアーム１７は、係止片１９が被係止部１１に当接することで、自動的に弾性変形するので、別途力を加えることなく、レバー７を回動させるだけでよい。
【００６５】
コネクタ係合体１によれば、第２のコネクタ５を第１のコネクタ３から離すべく（取り外すべく）指を用いて係止部１５を弾性変形させて係止部１５を被係止部１１から離すときに、レバー７を回動するための操作部１３に指が当接し、レバー７を指で動かして第２のコネクタ５に離脱力を発生させることができるので、第２のコネクタ５を第１のコネクタ３から取り外すときに、レバー７（レバー７のロックアーム１７）が破損することを防止することができ、また、レバー７をスムーズに回動させることができる。
【００６６】
すなわち、第２のコネクタ５を第１のコネクタ３から離すときに、レバー７のロックアーム１７を弾性変形させる押圧力とレバー７を回動させるための押圧力とをレバー７に加える必要があるが、コネクタ係合体１では、ロックアーム１７を弾性変形させる押圧力を係止部１５に加え、レバー７を回動するための押圧力を係止部１５とは異なるところに設けられている操作部１３に加えるようになっている。
【００６７】
したがって、第２のコネクタ５を第１のコネクタ３から離すときにレバー７に加える力が分散され、レバー７が破損することを防止することができると共に、レバー７をスムーズに回動させることができる。
【００６８】
また、コネクタ係合体１によれば、係止部１５を被係止部１１から離すべく指を用いて係止部１５のロックアーム１７を弾性変形させたときに、レバー７を動かすための操作部１３に指が当接し、離脱力を発生させるべくレバー７を指で回動させることができるので、レバー７の持ち替えをすることなく簡易な操作で、第２のコネクタ５を第１のコネクタ３から離すことができる。また、第２のコネクタ５を第１のコネクタ３から離すときの操作が簡易になっているので、小さいスペースであっても、第２のコネクタ５を第１のコネクタ３から容易に離すことができる。
【００６９】
また、コネクタ係合体１によれば、指を係止部１５に当接させて係止部１５に力を加えロックアーム１７を弾性変形させた状態から指を僅かにずらすことで、離脱力を発生させるための力を操作部１３に加えることができるので、係止部１５から操作部１３への持ち替えをすることなく、第２のコネクタ５を第１のコネクタ３から離すことができる。
【００７０】
さらに、コネクタ係合体１によれば、係止部１５を弾性変形させるために加える力の方向と、レバー７を回動するためにレバー７に加える力の方向との交差角度が、６０°以内になっているので、第２のコネクタ５を第１のコネクタ３から離す操作がしやすくなっている。
【００７１】
また、コネクタ係合体１によれば、ロックアーム１７が弾性変形をしたときに、押圧部２１の押圧面２５と操作部１３の押圧面２７とが「ハ」字状になるので、第２のコネクタ５を第１のコネクタ３から離すべく、押圧部２１を押圧して係止部１５のロックアーム１７を弾性変形させた状態で、操作部１３に押圧力を加える操作がしやくなっている。
【００７２】
また、コネクタ係合体１によれば、押圧部２１の押圧面２５が平面状に形成されており、操作部１３の押圧面２７が凹凸状に形成されているので、指を押圧部２１に当接させて押圧部２１に力を加えロックアーム１７を弾性変形させた状態から指僅かにずらして、操作部１３を押圧する場合、指を容易に滑らすことができ、また、指を滑らせた後、操作部１３の押圧面２７に掛けた指が滑りにくくなっており、第２のコネクタ５を第１のコネクタ３から離す操作がしやすくなっている。
【符号の説明】
【００７３】
１  コネクタ係合体
３  第１のコネクタ
５  第２のコネクタ
７  レバー
１１  被係止部
１３  操作部
１５  係止部
１７  ロックアーム
１９  係止片
２１  押圧部
２５  押圧面（押圧部２１の押圧面）
２７  押圧面（操作部１３の押圧面）
【図１】
0005712034.tif 000002
【図２】
0005712034.tif 000003
【図３】
0005712034.tif 000004
【図４】
0005712034.tif 000005
【図５】
0005712034.tif 000006
【図６】
0005712034.tif 000007
【図７】
0005712034.tif 000008
【図８】
0005712034.tif 000009